(57)【要約】  ハウジングと、ハウジングに固定され、表面にまたがるハウジングの動きに応じて回転部材の回転軸を中心に回転するように配置された回転部材と、回転部材の回転と共に回転部材の回転軸を中心に回転するために、回転部材に固定された少なくとも１つの２極の磁石と、ハウジングに固定され、回転部材と並置された変換器であって、少なくとも１つの２極の磁石の回転によって引き起こされた磁界の変化に応じて、その出力電圧を変化させるように配置された変換器とで構成されたモーションセンサ。【選択図】図２Ａ
2016526691.tif 000002
【特許請求の範囲】
【請求項１】
ハウジングと、
コントローラと、
前記コントローラに対応する処置素子と、
モーションセンサと、を含み、前記コントローラは、前記モーションセンサから情報を受信し、それに応じて前記処置素子の動作を調整するように配置され、
前記モーションセンサは、
前記ハウジングに固定され、処置される皮膚表面にまたがる前記ハウジングの動きに応じて回転部材の回転軸を中心に回転するように配置された前記回転部材と、
回転部材と一緒に回転するために前記回転部材内に固定された少なくとも１つの２極の磁石と、
前記ハウジングに固定され、前記回転部材と並置された変換器であって、前記少なくとも１つの２極の磁石の少なくとも１つの磁界成分（ＭＦＣ）を読み出し、前記回転部材の回転を示す出力信号を供給するように配置された前記変換器とを含む、モーションセンサと
を含む、エステティック又は医療処置装置。
【請求項２】
前記少なくとも１つの２極の磁石の磁気軸は、前記回転軸に垂直であり、前記変換器は、前記回転軸と並行である、請求項１に記載のエステティック又は医療処置装置。
【請求項３】
前記少なくとも１つの２極の磁石は、互いに直交して配置された２つの２極の磁石を含み、前記変換器は、２つの磁界センサで構成され、前記磁界センサのそれぞれは、前記２つの２極の磁石の特定の１つと並置される、請求項２に記載のエステティック又は医療処置装置。
【請求項４】
前記変換器は、ホール効果センサである、請求項３に記載のエステティック又は医療処置装置。
【請求項５】
前記ホール効果センサは、２次元ホール効果センサ及び３次元ホール効果センサの１つである、請求項４に記載のエステティック又は医療処置装置。
【請求項６】
前記変換器の前記出力信号を受信するように配置された動き判定器であって、受信した前記出力信号に応じて表面にまたがる前記ハウジングの動きの速さを判定し、判定された前記動きに関する前記情報を前記コントローラに出力するように配置された前記動き判定器を更に含む、請求項１〜５のいずれか一項に記載のエステティック又は医療処置装置。
【請求項７】
前記動き判定器は、速度を判定するように配置される、請求項６に記載のエステティック又は医療処置装置。
【請求項８】
前記動き判定器は、前記皮膚表面に対する前記ハウジングの動きの方向を判定するように配置される、請求項６に記載のエステティック又は医療処置装置。
【請求項９】
前記動き判定器は、前記皮膚表面上の前記ハウジングの位置を判定するように配置される、請求項６に記載のエステティック又は医療処置装置。
【請求項１０】
前記動き判定器は、速度、前記皮膚表面に対する前記ハウジングの動きの方向、及び前記皮膚表面上の前記ハウジングの前記位置の少なくとも２つを判定するように配置される、請求項６に記載のエステティック又は医療処置装置。
【請求項１１】
前記ＭＦＣは、互いに垂直である、請求項１に記載のエステティック又は医療処置装置。
【請求項１２】
前記少なくとも１つの２極の磁石は、前記回転部材の前記回転軸に中心を置く、請求項１に記載のエステティック又は医療処置装置。
【請求項１３】
ハウジングと、
回転部材であって、前記ハウジングに固定され、表面にまたがる前記ハウジングの動きに応じて前記回転部材の回転軸を中心に回転するように配置された前記回転部材と、
前記回転部材の回転と共に前記回転部材の前記回転軸を中心に回転するために、前記回転部材に固定された少なくとも１つの２極の磁石と、
前記ハウジングに固定され、前記回転部材と並置された変換器であって、前記少なくとも１つの２極の磁石の前記回転によって引き起こされた磁界の変化に応じて、その出力電圧を変化させるように配置された変換器と
を含む、モーションセンサ。
【請求項１４】
前記少なくとも１つの２極の磁石は、互いに直交して配置された２つの２極の磁石を含む、請求項１３に記載のモーションセンサ。
【請求項１５】
前記変換器は、ホール効果センサである、請求項１３に記載のモーションセンサ。
【請求項１６】
前記ホール効果センサは、２次元ホール効果センサ及び３次元ホール効果センサの１つである、請求項１５に記載のモーションセンサ。
【請求項１７】
前記少なくとも１つの２極の磁石は、互いに直交して配置された２つの２極の磁石を含み、前記変換器は、２つのホール効果センサを含み、前記ホール効果センサのそれぞれは、互いに直交して配置される、請求項１３に記載のモーションセンサ。
【請求項１８】
前記変換器の出力を受信するように配置された動き判定器であって、受信した出力に応じて、前記表面にまたがる前記ハウジングの動きの速さを判定するように配置された前記動き判定器を更に含む、請求項１３〜１７のいずれか一項に記載のモーションセンサ。
【請求項１９】
前記動き判定器は、前記受信した出力に応じて前記回転部材の回転の速さを判定するように配置され、前記動きの速さは、判定された前記回転の速さに応じて判定される、請求項１８に記載のモーションセンサ。
【請求項２０】
前記動き判定器は、
前記変換器から少なくとも１つの磁気ベクトル成分を受信し、
受信された少なくとも１つのベクトル成分を正規化し、
正規化された前記受信された少なくとも１つのベクトル成分に応じて前記動きの速さを判定するように配置される、請求項１８に記載のモーションセンサ。
【請求項２１】
前記モーションセンサは、エステティック又は医療処置装置に配置されるように適合される、請求項１３又は１４に記載のモーションセンサ。
【請求項２２】
前記センサは、前記表面にまたがる前記ハウジングの動きの速度及び方向を検出するように適合される、請求項１３又は１４に記載のモーションセンサ。
【請求項２３】
前記回転部材の直径は、２０ｍｍより小さい、請求項１３に記載のモーションセンサ。
【請求項２４】
前記回転軸と前記変換器との間の距離は、２０ｍｍより小さい、請求項１３に記載のモーションセンサ。
【発明の詳細な説明】
【技術分野】
【０００１】
本発明は、概してモーションセンサの分野に関し、特に回転装置内における１つ又は複数の２極の磁石の配置に基づいたモーションセンサに関する。
【背景技術】
【０００２】
モーションセンサは、表面に対する物体の動きを検出するために用いられることが多い。例えば、車両における速度計は、車両における車輪の回転に応じて、路面に沿った動きの速度を検出する一種のモーションセンサである。モーションセンサはまた、モータの角運動量を検出し制御するためにモータ制御において用いられることが多い。
【０００３】
モーションセンサの別の使用が、米国特許第６，８２５，４４５号明細書、同第７，１７０，０３４号明細書、同第７，２０２，４４６号明細書、同第８，３１９，１５２号明細書、同第８，３６７，９７４号明細書、及び同第８，３８９，９０６号明細書に様々に説明されているＯｒａｎｇｅｂｕｒｇ，ＮＹのＲａｄｉａｎｃｙ，Ｉｎｃ．から入手可能なｎｏ！ｎｏ！電気シェーバに関連して本明細書で示され、これらの米国特許のそれぞれにおける全内容が、参照により本明細書に援用される。特に、皮膚の熱傷を回避するために、被加熱素子を含むシェービングヘッドの制御が、検出された動きに応じて実行される。
【０００４】
図１Ａは、容器２０と、その周囲のまわりに溝３５を配置した第１のローラ３０と、発電機４０と、ベルト５０と、コントローラ６０と、被加熱素子７０と、単に車輪又は代わりに他の固定支持体（図示せず）とすることができる第２のローラ８０とを含む電気シェーバ１０の実施形態のハイレベル概略図を示す。容器２０は、皮膚表面９０と並置された場合に、容器２０用に滑らかな滑動を提供するために、第１のローラ３０及び第２のローラ８０を固定し、矢印によって示されているような２つの反対方向のいずれかにおいて皮膚に沿った滑らかな動きを可能にする。幾つかの実施形態において、適切な処置を保証するために、一方向のみの滑りが可能にされる。
【０００５】
発電機４０は、コントローラ６０の入力部に結合され、被加熱素子７０は、コントローラ６０の出力部に結合される。ベルト５０は、溝３５内に位置するように配置され、溝３５が受けた第１のローラ３０の角運動量を発電機４０に移す。従って、コントローラ６０は、電気信号であって、その振幅及び符号が、皮膚表面９０に沿った容器２０の動きの速度及び方向に反応する電気信号を発電機４０から受信する。コントローラ６０は、検出された動きに応じて被加熱素子７０を制御するように、特に第１のローラ３０の検出された動きに応じて被加熱素子７０に電力を供給するように配置される。任意選択的に（図示せず）、被加熱素子７０の位置は、典型的には、被加熱素子７０と皮膚表面９０との間の距離を、所定の最小値を超え、所定の移動方向において検出された動きに応じたシェービング位置に設定すること、及び被加熱素子７０と皮膚表面９０との間の距離を、かかる検出された動きがない状態で、スタンドオフ位置に設定することによって、コントローラ６０に応じて更に調整される。第２のローラ８０は、皮膚表面９０に対して容器２０用の第２の回転支持体を提供する。
【０００６】
しかしながら、第１のローラ３０の動きを発電機５０に移すベルト５０の使用は、面倒であり、皮膚表面９０から剃られた毛の傾向故に、その滑らかな動きを妨げ失敗につながる。第１のローラ３０内に発電機５０を統合することは、それが回転体への電気的接続を必要とするため、コストが高い。
【０００７】
図１Ｂは、複数の被加熱素子７０が設けられ、電気シェーバ１００が更に供給テザー１１０を追加的に表していることを例外として、図１Ａの電気シェーバ１０と全ての点で類似する電気シェーバ１００の実施形態のハイレベル概略図を示す。供給テザー１１０は、電気シェーバ１００用に商用電源ベースの電力、ＤＣ電力、及び／又は冷却流体を、範囲を超えることなく、供給し得る。
【０００８】
Ｌｕｔｚの米国特許出願公開第２００３／０１２８０２６号明細書（その内容全体が参照により本明細書に援用される）は、ロータ位置を感知し、検知リング磁石及び２つのアナログホール効果センサを含む電気モータの回転速度を広範囲な速度にわたって検出するための装置に取り組む。検知リング磁石用に対してコストに加えて要求されるものは、分解能を制限し、制限を最小にするドライバであってもよい。
【０００９】
Ｔｈｅ  Ｔｉｍｋｅｎ  Ｃｏｍｐａｎｙの世界知的所有権機関国際公開第２００４／００８０７５  Ａ２号パンフレット（その内容全体が参照により本明細書に援用される）は、絶対的な角度位置を感知するための装置及び方法に取り組む。１つ又は複数の線形位置センサが、シャフト又は他の回転コンポーネントの粗くなる表面の近くに配置される。シャフトの回転は、センサと粗くなる表面との間の空隙を変化させ、それによって、回転コンポーネントの様々な動作パラメータを判定するために処理することができる信号を生成する。粗くなる表面に関する要件及び線形位置センサの適切な出力を保証する材料要件は、機械設計の複雑さを増し、線形位置センサ及び粗くなる表面の相対的位置の注意深い制御を必要とし、コストを増加させる。
【００１０】
低減されたコストで、好ましくは電気シェーバ又は他のエステティック／医療処置装置で使用するのに適した、回転の動きを検出するように配置されるモーションセンサを提供することが望ましい。
【発明の概要】
【課題を解決するための手段】
【００１１】
従って、先行技術の欠点の少なくとも幾つかを克服することが、主要な目的である。これは、ある実施形態において、１つ又は複数の２極の磁石が装着された回転部材を設けることによって達成される。磁界の変化に応じてその出力電圧を変化させるように配置された変換器が更に設けられ、変換器は、１つ又は複数の２極の磁石の回転からの磁界の変化を検出するために回転部材と並置される。変換器の出力は、変換器の変化する出力に応じて回転部材の角回転を判定するように配置されたコントローラによって受信される。一実施形態において、変換器は、ホール効果センサである。他の実施形態において、変換器には１つを超えるセンサがあっても良い。
【００１２】
本明細書の実施形態は、ハウジングと、コントローラと、コントローラに対応する処置素子と、モーションセンサであって、コントローラが、モーションセンサから情報を受信し、それに応じて処置素子の動作を調整するように配置され、モーションセンサが、ハウジングに固定され、処置される皮膚表面にまたがるハウジングの動きに応じて回転部材の回転軸を中心に回転するように配置された回転部材と、回転部材と一緒に回転するために回転部材内に固定された少なくとも１つの２極の磁石と、ハウジングに固定され、回転部材と並置された変換器であって、少なくとも１つの２極の磁石の少なくとも１つの磁界成分（ＭＦＣ）を読み出し、回転部材の回転を示す出力信号を供給するように配置された変換器とを含む、モーションセンサとを含む、エステティック又は医療処置装置を可能にする。
【００１３】
一実施形態において、少なくとも１つの２極の磁石の磁気軸は、回転軸に垂直であり、変換器は、回転軸と並行である。更なる一実施形態において、少なくとも１つの２極の磁石は、互いに直交して配置された２つの２極の磁石を含み、変換器は、２つの磁界センサで構成され、磁界センサのそれぞれは、２つの２極の磁石の特定の１つと並置される。更なる一実施形態において、変換器は、ホール効果センサであり、任意選択的に、ホール効果センサは、２次元ホール効果センサ及び３次元ホール効果センサの１つである。
【００１４】
一実施形態において、エステティック又は医療処置装置は、変換器の出力を受信するように配置された動き判定器であって、受信した出力に応じて表面にまたがるハウジングの動きの速さを判定し、判定された動きをコントローラに出力するように配置された動き判定器を更に含む。更なる一実施形態において、動き判定器は、速度を判定するように配置される。更なる一実施形態において、動き判定器は、皮膚表面に対するハウジングの動きの方向を判定するように配置される。別の更なる実施形態において、動き判定器は、皮膚表面上のハウジングの位置を判定するように配置される。更に別の更なる実施形態において、動き判定器は、速度、皮膚表面に対するハウジングの動きの方向、及び皮膚表面上のハウジングの位置の少なくとも２つを判定するように配置される。
【００１５】
一実施形態において、ＭＦＣは、互いに垂直である。別の実施形態において、少なくとも１つの２極の磁石は、回転部材の回転軸に中心を置く。
【００１６】
本明細書の実施形態は、独立して、ハウジングと、回転部材であって、ハウジングに固定され、表面にまたがるハウジングの動きに応じて回転部材の回転軸を中心に回転するように配置された回転部材と、回転部材の回転と共に回転部材の回転軸を中心に回転するために、回転部材に固定された少なくとも１つの２極の磁石と、ハウジングに固定され、回転部材と並置された変換器であって、少なくとも１つの２極の磁石の回転によって引き起こされた磁界の変化に応じて、その出力電圧を変化させるように配置された変換器とを含む、モーションセンサを可能にする。
【００１７】
一実施形態において、少なくとも１つの２極の磁石は、互いに直交して配置された２つの２極の磁石を含む。別の実施形態において、変換器は、ホール効果センサである。更なる一実施形態において、ホール効果センサは、２次元ホール効果センサ及び３次元ホール効果センサの１つである。
【００１８】
一実施形態において、少なくとも１つの２極の磁石は、互いに直交して配置された２つの２極の磁石を含み、変換器は、２つのホール効果センサを含み、ホール効果センサのそれぞれは、互いに直交して配置される。
【００１９】
一実施形態において、モーションセンサは、変換器の出力を受信するように配置された動き判定器であって、受信した出力に応じて、表面にまたがるハウジングの動きの速さを判定するように配置された動き判定器を更に含む。更なる一実施形態において、動き判定器は、受信した出力に応じて回転部材の回転の速さを判定するように配置され、動きの速さは、判定された回転の速さに応じて判定される。別の更なる実施形態において、動き判定器は、変換器から少なくとも１つの磁気ベクトル成分を受信し、受信された少なくとも１つのベクトル成分を正規化し、正規化された受信された少なくとも１つのベクトル成分に応じて動きの速さを判定するように配置される。
【００２０】
一実施形態において、モーションセンサは、エステティック又は医療処置装置に配置されるように適合される。別の実施形態において、モーションセンサは、表面にまたがるハウジングの動きの速度及び方向を検出するように適合される。一実施形態において、回転部材の直径は、２０ｍｍより小さい。別の実施形態において、回転軸と変換器との間の距離は、２０ｍｍより小さい。
【００２１】
追加の特徴及び利点は、以下の図面及び説明から明らかとなる。
【００２２】
本発明のより良い理解と、本発明がどのように実施され得るかを示すために、ここで、純粋に例として添付の図面を参照する。添付の図面において、同様の数字は、対応する要素又はセクションを、全体を通して示す。
【００２３】
ここで図面を特に詳細に参照すると、図示される詳細が、単に例であり、本発明の好ましい実施形態の実例的な説明のためのものであって、最も有用なものであると考えられるもの、並びに本発明の原理及び概念的態様の容易に理解される説明を提供するために提示されることが強調される。この点において、本発明の根本的な理解に必要である以上に詳細に本発明の構造的細部を示す試みはなされておらず、図面に関してなされる説明は、本発明の幾つかの形態がどのように実際上具体化され得るかを当業者に明らかにする。
【図面の簡単な説明】
【００２４】
【図１Ａ】ベルト駆動モーションセンサを示す、被加熱素子ベースのシェーバのハイレベルブロック図を示す。
【図１Ｂ】ベルト駆動モーションセンサ、複数の被加熱素子及び供給テザーを示す、被加熱素子ベースのシェーバのハイレベルブロック図を示す。
【図２Ａ】単一の２極の磁石を備えた例示的なモーションセンサのハイレベルブロック図を示す。
【図２Ｂ】１組の２極の磁石を備えた例示的なモーションセンサのハイレベルブロック図を示す。
【図３Ａ】図２Ｂのモーションセンサを用いる、図１Ａの被加熱素子ベースのシェーバの実施形態を示す。
【図３Ｂ】図２Ｂのモーションセンサを用いる、図１Ｂの被加熱素子ベースのシェーバの実施形態を示す。
【図４Ａ】ある被加熱素子ベースのシェーバを示し、先行技術のモーションセンサは、本明細書で説明されるようなモーションセンサと取り替えられる。
【図４Ｂ】他の被加熱素子ベースのシェーバを示し、先行技術のモーションセンサは、本明細書で説明されるようなモーションセンサと取り替えられる。
【図４Ｃ】更に他の被加熱素子ベースのシェーバを示し、先行技術のモーションセンサは、本明細書で説明されるようなモーションセンサと取り替えられる。
【図５Ａ】変換器のセンサと並置された回転部材に固定された例示的な２極の磁石の実施形態の間のある関係を示す。
【図５Ｂ】変換器のセンサと並置された回転部材に固定された例示的な２極の磁石の実施形態の間の他の関係を示す。
【図６Ａ】回転部材が円筒として実現されるモーションセンサの例示的な実施形態のある図を示す。
【図６Ｂ】回転部材が円筒として実現されるモーションセンサの例示的な実施形態の他の図を示す。
【図７Ａ】センサからのある距離において、回転部材の回転に従って回転する１組の垂直の２極の磁石のプロットを示す。
【図７Ｂ】センサからの他の距離において、回転部材の回転に従って回転する１組の垂直の２極の磁石のプロットを示す。
【図７Ｃ】センサからの更に他の距離において、回転部材の回転に従って回転する１組の垂直の２極の磁石のプロットを示す。
【図７Ｄ】センサからの更に他の距離において、回転部材の回転に従って回転する１組の垂直の２極の磁石のプロットを示す。
【図７Ｅ】センサからの更に他の距離において、回転部材の回転に従って回転する１組の垂直の２極の磁石のプロットを示す。
【図７Ｆ】センサからの更に他の距離において、回転部材の回転に従って回転する１組の垂直の２極の磁石のプロットを示す。
【図７Ｇ】センサからの更に他の距離において、回転部材の回転に従って回転する１組の垂直の２極の磁石のプロットを示す。
【図８】モーションセンサを提供する方法のハイレベルフローチャート、特に動き判定器の動作方法の詳細を示す。
【００２５】
【００２６】
【００２７】
【００２８】
【００２９】
【００３０】
【００３１】
【００３２】
【００３３】
【００３４】
【発明を実施するための形態】
【００３５】
本発明の少なくとも１つの実施形態を詳細に説明する前に、本発明が、その用途において、以下の説明で明記され、図面に示されるコンポーネントの構造及び配置の詳細に限定されないことを理解されたい。本発明は、他の実施形態に適用可能であり、又は様々な方法で実施若しくは実行される。また、本明細書で用いられる言い回し及び用語が、説明のためであり、限定と見なされるべきでないことを理解されたい。
【００３６】
図２Ａは、ハウジング２１０と、表面９０にまたがる動きに応じて回転軸２３０を中心に回転するように配置された回転部材２２０であって、ハウジング２１０に固定され、表面２５０にまたがるハウジング２１０の動きに応じて回転するように配置された回転部材２２０と、回転部材２２０に固定され、回転部材２２０の回転に応じて回転軸２３０を中心に回転するように配置された２極の磁石２４０とを含む例示的なモーションセンサ２００のハイレベルブロック図を示す。表面２５０は、一実施形態において皮膚表面である。変換器２６０が、ハウジング２１０に固定され、回転部材２２０と並置され、２極の磁石２４０の回転によって引き起こされた磁界の変化に応じて、その出力電圧を変化させるために、回転部材２２０に十分に接近して配置される。動き判定器２７０が、変換器２６０の出力を受信し、変換器２６０の出力に対応し、表面２５０に対するハウジング２１０の動きの速さを判定するように配置され、更に以下で説明される。動き判定器２７０は、判定された動きの速さを示す信号を出力するように更に配置される。一実施形態において、動き判定器２７０は、表面２５０に対するハウジング２１０の動きの方向を判定し、動きの方向を示す信号を出力するように更に配置され、動きの方向を示す出力信号は、範囲を超えることなく、動きの速さを示す出力信号と組み合わされ得る。
【００３７】
変換器２６０は、１つ又は複数のホール効果センサによって実現されても良く、各ホール効果センサは、範囲を超えることなく、１次元ホール効果センサ、２次元（２Ｄ）ホール効果センサ、又は３次元（３Ｄ）ホール効果センサであり得る。有利には、２Ｄ若しくは３Ｄホール効果センサ、又は２つの１Ｄホール効果センサは、動き判定器２７０によって判定されるように方向情報を更に提供しても良い。
【００３８】
動き判定器２７０は、コンパレータの有無にかかわらずＡＳＩＣ、ＦＰＧＡ、コントローラ、汎用マイクロコントローラ、アナログ回路において、または状態機械において限定なく、範囲を超えることなく、実現され得る。動き判定器２７０の動作の詳細は、更に以下で説明される。
【００３９】
２極の磁石という用語は、わずか２つの極のみを有する任意の磁石を含むことを意味する。従って、例えば、上記の検知リング磁石は、４つ以上の極を示すため、２極の磁石と呼ばれることはない。棒磁石又は円盤磁石は、それぞれ、２極の磁石の定義を満たす。
【００４０】
図２Ｂは、１組の２極の磁石２４０が、互いに直角に配置されて設けられることを例外として、モーションセンサ２００に類似する例示的なモーションセンサ３００のハイレベルブロック図を示す。更に、一実施形態において、変換器２６０は、１組の変換器を含み、それぞれは、２極の磁石２４０の特定の１つと並置される。好ましくは、変換器２６０のそれぞれは、１Ｄホール効果センサである。モーションセンサ３００は、１組の２極の磁石２４０を示すが、これは、限定的であることを決して意味せず、回転部材２２０のまわりに均等に配置されるか、又は回転軸２３０を中心に回転するように配置される３つ以上の２極の磁石が、範囲を超えることなく実現され得る。
【００４１】
図３Ａは、モーションセンサ３００がベルト駆動センサの代わりに設けられたことを例外として、電気シェーバ１０に類似していても良い、電気シェーバなどのエステティック／医療処置装置４００の実施形態を示す。１つ又は複数の２極の磁石２４０であって、そのうち、互いに直角の２つの２極の磁石２４０が示されている１つ又は複数の２極の磁石２４０が固定された回転部材２２０は、表面９０に沿ったハウジング２１０の動きに応じて回転する。動きの速さ及び好ましくは矢印によって示されているような動きの方向は、変換器２６０に応じて動き判定器２７０によって判定される。コントローラ６０は、動き判定器２７０と通信し、判定された動き及び所望の処置領域に応じて処置素子２８０を作動させる。
【００４２】
処置素子２８０は、１つ又は複数の被加熱素子７０、熱源、光源、シェーバ、又は例えば皮膚を処置するか若しくは毛を除去するための任意の種類のエステティック若しくは医療処置機構を含んでも良い。範囲を超えることなく、多数のかかる処置素子２８０又はそれらの組み合わせがあり得る。
【００４３】
第２のローラ８０は、任意選択であり、例えば１つ又は複数の支持壁又はハウジングと取り替えられても良く、その結果、１つのローラのみが用いられる。
【００４４】
図３Ｂは、モーションセンサ３００がベルト駆動センサの代わりに設けられたことを例外として、電気シェーバ１００に類似していても良い、電気シェーバなどのエステティック／医療処置装置４５０の実施形態を示す。１つ又は複数の２極の磁石２４０であって、そのうち、互いに直角の２つの２極の磁石２４０が示されている１つ又は複数の２極の磁石２４０が固定された回転部材２２０は、表面９０に沿ったハウジング２１０の動きに応じて回転する。動きの速さ及び好ましくは矢印によって示されているような動きの方向は、変換器２６０に応じて動き判定器２７０によって判定される。コントローラ６０は、動き判定器２７０と通信し、判定された動きに反応し、所望の処置領域に従って処置素子２８０を作動させる。動き判定器２７０は、コントローラ６０と分離されて示されているが、しかしコントローラ６０への動き判定器２７０の統合が好ましい。
【００４５】
動き判定器２７０は、範囲を超えることなく、ハウジング２１０の位置、変位、速度、加速度、減速度、移動、及び動きの方向の１つ又は複数を検出し得る。
【００４６】
本明細書で言及される動き又は動きの速さという用語は、次のもの、即ち、移動、方向、変位、位置、距離、速度、加速度及び減速度の任意の１つ又は複数を指しても良く、言及された用語のいずれかを示す１つ又は複数のアナログ／デジタル信号として実現されても良い。
【００４７】
動き判定器２７０は、コントローラ６０の一部として実現されても良いが、１つ又は複数の変換器２６０から１つ又は複数の信号を受信するように配置され、関心のある動きの速さを検出する。例えば、それは、１つの磁石移動から移動を、又はローラ２２０の特定の２極の磁石２４０とそれぞれ並置される２つのホール効果センサから来る２つの信号から速度又は滑り距離を検出しても良い。
【００４８】
図４Ａ乃至４Ｃは、「毛の除去及び再成長抑制装置（Ｈａｉｒ  Ｒｅｍｏｖａｌ  ａｎｄ  Ｒｅ−Ｇｒｏｗｔｈ  Ｓｕｐｐｒｅｓｓｉｏｎ  Ａｐｐａｒａｔｕｓ）」という名称のＷＩＰＯ国際公開第２０１３／０１１５０５号パンフレット（その内容全体が、参照により本明細書に援用される）に示されているように様々な電気シェーバを示しており、その国際公開では、先行技術のモーションセンサは、本明細書で説明されるようなモーションセンサと取り替えられる。図４Ａ及び４Ｂは、ハウジング２１０と、処置ヘッド５１０と、回転部材２２０と、回転部材２２０と並置される変換器２６０とを含む、毛の再成長抑制を伴うシェーバの特定の実施形態をそれぞれ示す。１つ又は複数の２極の磁石２４０（図示せず）は、上記のように、回転部材２２０に固定される。図４Ｃは、ハウジング２１０と、処置ヘッド５１０と、回転部材２２０と、第１及び第２の２極の磁石２４０と、回転部材２２０と並置された変換器２６０とを含む、毛の再成長抑制を伴うシェーバの特定の実施形態を同様に示す。回転部材２２０は、互いに直角の第１及び第２の２極の磁石２４０が挿入された管状又は円筒状部材として示されている。
【００４９】
幾らかの更なる詳細において、図４Ａは、側輪など、下方に回転部材２２０を備えたハウジング２１０の一方の側又は両側に配置された１つ又は複数の変換器２６０を示す。図４Ｂは、車輪又はローラなど、下方に回転部材２２０を備えたハウジング２１０の前方領域又は後方領域に配置された１つ又は複数の変換器２６０を示す。図４Ｃは、ローラ回転部材２２０の上に配置された変換器２６０を示し、そこでは、ローラ回転部材２００は、好ましくは処置ヘッド５１０の動作を妨げないように配置され、ハウジング２０１の前方又は後方領域に存在することができ、回転部材２２０は、互いに直角の２つの２極の磁石２４０を含むことができる。
【００５０】
変換器２６０は、回転部材の回転軸の上に配置されるのが好ましく、モーションセンサは、エステティック又は医療処置装置の一部であり、表面は、人間の皮膚の表面である。このように、変換器２６０は、ローラの滑りを妨げず、変換器と軸との間には小さな空隙があっても良い。２極の磁石２４０は、好ましくは回転軸と垂直に配置され、ローラ２２０の両側からの良好な読み出しを維持するために、回転軸に中心を置く。十分な磁界を提供するために、できるだけ大きな磁石を有することが望ましい。変換器２４０のセンサは、磁界読み出しを最大限にするために、回転軸に面し、２極の磁石２４０の前の中心線に配置されるのが好ましい。
【００５１】
図５Ａ及び５Ｂは、回転部材２２０に固定される２極の磁石２４０の実施形態と変換器２６０のセンサ５５０との間のある関係を示す。図５Ａを参照すると、軸５６０は、回転軸２３０と変換器２６０のセンサ５５０の中心との間に画定される。並行磁界成分（ＭＦＣ）５６５は、軸５６０と一致し、センサ５５０によって読み出される２極の磁石２４０のＭＦＣを表す。上記は、明確にするために、単一の２極の磁石２４０を用いて説明されているが、これは、多重の２極の磁石２４０の実施形態の一部であっても良く、そこでは関連するセンサ５５０をそれぞれ備えた２つの２極の磁石２４０が存在することを理解されたい。磁石２４０／センサ５５０のセットのそれぞれにおいて、センサ５５０は、対応するＭＦＣを読み出し、２つのＭＦＣから動きが導き出され得る。軸５６０から左回りに４５°の角度を示す２極の磁石２４０の並行磁界５７０が、更に表現されている。垂直ＭＦＣ５８０は、ＭＦＣ５６５に直交するが、センサ５５０によって読み出された２極の磁石２４０の垂直ＭＦＣを表す。別の実施形態において、２Ｄ又は３Ｄセンサが、２つのＭＦＣ５６５及び５８０を読み出し得、かかる実施形態において、動きは、単一の２極の磁石２４０を用いることによって導き出すことができる。示されているように、垂直ＭＦＣ５８０のみが、ＭＦＣ５６５の代わりに読み出されることもまた可能である。ある実施形態において、並行磁界成分（ＭＦＣ）５６５の読み出し値は、垂直ＭＦＣ５８０の読み出し値より振幅がより強く、かかる実施形態において、２つのＭＦＣ５６５（そのそれぞれの関連する２極の磁石２４０の前にそれぞれ存在する）が用いられても良い。幾つかのセンサ５５０が、同じ変換器２６０上に存在し得る。
【００５２】
図５Ｂは、別の２極の磁石２４０の並行磁界５７０が軸５６０から左回りに約１３５°の角度にある場合に対して、図５Ａと同じ関係を示す。図５Ｂは、第２のセンサ５５０によって経験される磁界を同様に表しても良く、第２のセンサ５５０は、図５Ａのセンサ５５０と同一であっても良いが、しかし第２の２極の磁石２４０と並置されても良い。第１及び第２の２極の磁石２４０は、軸２３０を中心に互いに対して９０°回転される。従って、図５Ａ及び５Ｂは、１組の２極の磁石２４０の１つにそれぞれ関連する１組のセンサ５５０が設けられる単一の実施形態を示しても良い。第１及び第２のセンサ５５０は、それぞれの２極の磁石２４０の好ましくは同様の振幅で均等なＭＦＣを提供するために、変換器２６０の同じ平面上に配置されても良く、その平面は、２つのセンサ５５０がはんだ付けされるＰＣＢとして実現されても良い。
【００５３】
図６Ａ及び６Ｂは、回転部材２２０が円筒として実現されるモーションセンサの実施形態を示し、図６Ａは、変換器２６０と組み合わされた回転部材２２０のアセンブリを示し、図６Ｂは、明確にするために回転部材２２０が取り除かれた、図６Ａと同じ配置を示す。第１及び第２の２極の磁石２４０は、円筒２２０の軸方向長さに沿って異なる対称的位置に設けられ、第１及び第２の２極の磁石２４０は、互いに直角に回転部材２２０の中に配置される。第１及び第２の２極の磁石２４０のそれぞれは、限定するわけではないが、円筒状磁石として示されている。変換器２６０は、１組のセンサ５５０を示し、各センサ５５０は、特定の２極の磁石２４０とそれぞれ整列され、それぞれの２極の磁石２４０が回転軸２３０を中心とする円筒２２０の回転と共に回転するときに変化する磁界を感知するために、２極の磁石２４０と並置される。センサ５５０のそれぞれのための軸５６０は、それぞれの２極の磁石２４０のそれぞれのための並行磁界５７０のように、それぞれ示されている。並行ＭＦＣ５６５が、２極の磁石２４０の１つのために更に示されている。もう一方の２極の磁石２４０は、９０°離れて回転され、従って、それぞれのセンサ５５０は、無視できる量の、関連する２極の磁石２４０からのＭＦＣ（図５Ｂに示されているような方向における）５６５を受ける。
【００５４】
上記は、関連するセンサ５５０をそれぞれ提供される１組の２極の磁石２４０が設けられる実施形態で説明されたが、しかしこれは、決して限定的であることを意味せず、円筒状回転部材２２０は、範囲を超えることなく、単一の２極の磁石２４０を提供され得る。１つ又は複数のセンサ５５０は、デュアル１Ｄ、２Ｄ又は３Ｄホール効果センサなどの２Ｄ又は３Ｄのセンサであっても良く、従って、単一の２極の磁石２４０からの方向情報を提供し得る。
【００５５】
図７Ａ乃至７Ｇは、センサからの様々な距離で、回転部材２２０の回転に従って回転する１組の垂直の２極の磁石２４０のプロットを示し、Ｘ軸は、回転位置を度数で表し、ｙ軸は、それぞれのセンサの出力信号の振幅を表す。２極の磁石２４０は、各場合に長さが３ｍｍであり、第１の２極の磁石２４０のプロットは、実線で示され、第２の２極の磁石２４０のプロットは、破線で示されている。
【００５６】
図７Ａは、１ｍｍのセンサ距離におけるプロットを示すが、しかし５ｍｍの直径でローラ２２０を実現することが望ましくなり得、その結果、ローラ２２０は、一方で皮膚の湾曲上を滑ることができ、他方で柔らかい皮膚の中へそれほど滑り込まないか又は下降することができない。ローラ２２０及び磁石２４０が保護層で覆われている場合に、磁石の長さは、典型的には３〜４ｍｍとすることができ、従って、センサ５５０が、図７Ａに示されているように、１ｍｍの距離から磁石を感知するように配置される可能性はない。何故なら、ローラが動けるようにするための空隙が、同様に必要とされるからである。しかしながら、磁石２４０を覆わないか又は非常に薄いカバーを適用することなどで、かかる条件が達成される場合に、センサ５５０の信号は、ほぼ示されたようになり得る。グラフのより急な傾斜領域７２０は、例えば速度を感知し計算するために、より興味深くなり得る。ローラ２２０の９０度分解能、即ちローラ２２０の周囲の４分の１と等しい距離と等しい精度での速度又は位置の判定の場合に、前もってピーク値を識別することが十分であり得る。かかる実施形態において、ホール効果センサ２６０の出力は、ピーク７３０及び７３１に到達したことを識別するために、例えばアナログコンパレータによって所定値と比較されても良い。ローラ２２０が９０度の位置の１つに到達した場合に容易に判定するために、信号のそれぞれのために正及び負の閾値を定義することができる。２つの信号の最小値及び最大値の振幅の絶対値がほぼ同じである場合に、２つの信号用の閾値は、同一であっても良い。このように、約４ｍｍの分解能が、５ｍｍの直径のローラ用に達成される。移動方向は、検出されたピークの順序に応じて更に判定することができる。例えば、第１のセンサ５５０の最大ピークが検出され、次に続いて第２のセンサ５５０の最小ピークが検出される場合に、それは、負方向における移動として定義することができる。ピーク検出間の時間は、マイクロコントローラを用いることによって又はハードウェアにタイマーを実現することによってなどで測定することができ、それは、ピーク検出間の時間の測定による速度の判定に帰着する。コントローラ６０は、所定の最大時間又は最小速度で設定されても良く、それは、動き判定器２７０から受信された場合に、（ｄ／ｖｍｉｎ）の最大遅延時間でコントローラ６０に処置を停止させ、ここでｄは、ピーク間の最小距離分解能であり、ｖｍｉｎは、可能な最小速度である。更に、より洗練されたアルゴリズムは、較正プロセス又は設計段階において信号の形状を学習すること、及び信号強度に従って各瞬間にローラの位相を計算することを可能にする。位相における変化から、距離移動変化ｄｘを導き出すことができる。例えば、信号が、各ｄｔ秒（ｄｔは、例えば５００μｓ〜５００ｍｓの範囲であっても良い）にサンプリングされる場合に、速度ｖを計算することができ、ｖ＝ｄｘ／ｄｔである。従って、速度は、より速く、より高い分解能で計算することができる。しかしながら、領域７１０など、信号がより小さな傾斜を有する位置において、制限がある可能性があり、かかる場合に、より急な傾斜の信号を読み出すことができる。特に���２つの２極の磁石２４０が、互いから９０度の位相にある場合に、信号の１つが、より大きい傾斜差であると思われる。７３０及び７３１などのピーク位置では、信号の傾斜をより良く識別し追跡するために、そのときにはピークにないもう一方の信号を読み出すことが望ましくなり得る。２極の磁石２４０が固定されるため、例えば速度を計算するか又は移動を検出するために、２極の磁石２４０の１つにおける１つのＭＦＣの変化の速さを読み出すことで十分であり得る。次に、移動方向を検出するために、２つの信号が必要とされる。何故なら、個々にはそれらのいずれの１つも、前方又は後方への移動において対称的であるが、しかし全体としては信号の１つが、移動方向に依存して、もう一方を前進させるからである。ローラの位相が、第１及び第２の信号の関数であるルックアップテーブルを作成することができる。同様のアプローチは、２つのＭＦＣ（各磁石用に１つ）を感知するのではなく、１つの磁石の２つのＭＦＣを感知するために行うことができ、信号間のより大きな変動が発生する可能性があり、またグラフの形状が異なる可能性がある。
【００５７】
図７Ｂは、２ｍｍのセンサ距離におけるプロットを示す。振幅が、図７Ａの振幅より小さいが、しかしより急な傾斜領域７２０が、信号の比較的より大きな部分において、ほぼ最小ピーク７３１及び最大ピーク７３０まで持続することが分かる。かかる信号は、直線により近いと考えてもよく、従って、信号における線形変化を実際の動きにより良く関連付けることが可能である。ここではピークが９０度異なるため、一方の信号が最小又は最大範囲にある間に、もう一方は、ほぼ線形範囲にあり、その差は、サンプル間の差を測定することによって追跡することができる。ノイズが発生する可能性があり、信号対雑音比（ＳＮＲ）が制限される可能性があるため、線形近似は、速度などの動きの計算を単純化し、応答時間を改善することができる。線形ホール効果センサは、ＭＦＣ強度を示すアナログ信号を供給することができる。動き判定器２７０のマイクロコントローラ実施形態へこれらの信号を読み出すこと、及び単純なアルゴリズムを実行することによって、速度は、高分解能で、ローラの各位相において、低コストで計算することができる。
【００５８】
図７Ｃは、３ｍｍのセンサ距離におけるプロットを示す。振幅は、図７Ａの振幅よりはるかに小さく、望ましくはないが、より急な傾斜領域７２０は、直線に近く、サンプリングレートに分割されたこれらの領域で測定された変化ｄｈは、速度ｖ〜ｄｈ／ｄｔに密接に比例することができる。較正によるか又は固定セットアップに基づくなどで振幅を定義することにより定数ｃを与えることができ、それによってｖ＝ｃ＊ｄｈ／ｄｔであり、ｄｈは、最大の変化など、信号の１つ又は両方の関連領域から判定され、任意選択的に、信号は、それらの変化が比較され得るように、正規化することができる。
【００５９】
図７Ｄは、４ｍｍのセンサ距離におけるプロットを示す。信号の振幅は、図７Ｃの振幅と比較して、もう１ミリメートルだけ磁石を離すことによって、はるかに小さくなる。従って、信号のより大きな振幅及びより良いＳＮＲを有するために、変換器２６０のホール効果センサの近くに２極の磁石２４０を配置することが有利になり得る。
【００６０】
図７Ｅは、６ｍｍの距離におけるプロットを示す。信号の振幅は、図７Ｄの信号よりはるかに小さいが、信号は、ゼロ振幅領域においてほぼ線形であり、ほとんど最小／最大ピークまでほぼ線形のままである。従って、２極の磁石２４０から６ｍｍの距離にさえ変換器２６０のセンサ５５０を配置することが可能になり得る。
【００６１】
図７Ｆは、１０ｍｍの距離におけるプロットを示し、図７Ｇは、１２ｍｍにおけるプロットを示す。かかる実施形態において、ピーク領域は、より大きくなり得、振幅は、より小さくなり得るが、しかし移動は、やはり、一度に少なくとも１つのセンサによって検出することができる。速度測定の精度は、制限される可能性があるが、しかし位置及び方向は、やはり見つけることが可能である。距離が増加するにつれて振幅が低下することが分かる。更に、各プロット用に、線形領域が確認されることが分かり、振幅が回転と共に急激に変化する領域が分かる。
【００６２】
図７Ａは、３つの領域、即ち、急激に変化する領域７１０と、線形領域７２０と、最大振幅領域７３０とを示し、３つの領域は、単純にするために、グラフの正の側のみで呼び出され、同じ呼称が、グラフの負の側で発生することが分かる。図７Ｇを見ると、最大振幅領域のみが、明白に識別可能であり、従って、図７Ａ乃至７Ｅなどの接近して離間した配置が、区別の改善のためには好ましい。
【００６３】
図８は、モーションセンサを設ける方法のハイレベルフローチャートを示し、動き判定器２７０の動作方法を特に詳細に示す。ステージ１０００において、表面に対して転がるように配置された装置が提供され、装置は、表面に対して転がされた場合に回転するように配置された回転部材を設けられる。回転部材に装着され、それと一緒に回転するように配置されるのは、少なくとも１つの２極の磁石である。
【００６４】
ステージ１０１０において、１Ｄ、２Ｄ又は３Ｄ線形センサであっても良い、ホールセンサなどのセンサが、ステージ１０００の回転部材と並置され、１つ又は複数の２極の磁石の回転によって引き起こされたＭＦＣにおける変化に応じて、その出力電圧（又はデジタルワードなどの他の表示信号）を変化させるように配置される。センサは、複数の個別センサであっても良く、各センサは、特定の２極の磁石と関連付けることができる。好ましくは、センサは、ローラが滑らされる平面から離れたポイントに配置される。これによって、ハウジングの幅から離れず、装置が滑らされる表面（皮膚）に触れないように、ローラをハウジングの一部とすることが可能になる。従って、センサは、表面のレベルより上（又は少なくともより高いレベル）にあり、例えば、それは、表面に対角線的に配置されるが、しかしローラの中心へ向けられても良い。これはまた、磁石をローラの円筒における選択された位置（やはり好ましくは、側面から見てローラの中心）で、必ずしもローラのエッジの１つに近い（ローラの２つの側面ファセットの１つから磁界を測定することが望ましい場合に当てはまる）わけではなく、ローラ内に配置することを可能にする。本明細書で説明されるように（ローラの回転軸に一致せずに）、ローラの上にセンサを配置することはまた、磁石とセンサとの間の距離に影響を及ぼす事前設定の空隙の形成を可能にすることになり、この空隙は、ローラの上又はローラのほぼ中心の上にあるのが好ましく、その結果、ローラは、毛除去装置が表面からより遠く離れているため、毛除去装置における毛などによって汚れる可能性が低くなる。
【００６５】
任意選択のステージ１０２０において、初期較正が、ステージ１０００の回転部材の少なくとも１つの完全な回転用に、ステージ１０１０のセンサによって読み出されるような最大及び最小強度値を識別しメモリに記憶するために実行されるか、又は、最小／最大ピーク用の閾値が、信号の変化の間に実際の速度又は距離を計算することに変換されるように、少なくとも１つの信号に対して記憶されるか又は事前に定義され得る。幾つかの実施形態において、関係は、線形であると考えられても良く、速度又は距離を計算できる基となるルックアップテーブルが実現されても良く、又は信号における変化に応じて任意の動きの表示を測定するための他の表示データが、範囲を超えることなく実現され得る。
【００６６】
ステージ１０３０において、回転部材の回転に応じて、ステージ１０１０のセンサからの少なくとも２つのＭＦＣの強度値が読み出され、読み出し値は、磁気ベクトル成分（ＭＶＣ）と呼ばれる。ＭＶＣは、アナログ電圧、デジタルワード、又は読み出されたＭＦＣを示す他の信号であっても良い。少なくとも２つのＭＦＣが必要とされる、方向と各瞬間に２つのＭＦＣを用いてより良く計算できる速度又は距離などからなる動きを判定するために、２つのＭＦＣを読み出すことが好ましいが、幾つかの実施形態において、１Ｄセンサで１つのＭＦＣを読み出すことが、動きがあるかどうかを判定し、より不正確で動きが表面９０にまたがる方向、即ち滑りの方向あっても、位置／速度を見つけ出すために十分である、ということは直接には導き出されない。
【００６７】
任意選択のステージ１０４０において、読み出し値は、正規化されたＭＶＣ（ＮＭＶＣ）を得るために、ステージ１０２０の較正に応じて正規化される。任意選択のステージ１０４０は、２つのセンサ及び２つの磁石が用いられ、それらが、結果としてのＭＶＣの変動を引き起こすかなりの許容誤差を有する実施形態において、必要とされる可能性がある。しかしながら、２つの磁石が、それらのセンサに等しい位置で固定され、それらの許容誤差が小さい場合に、予想される最小／最大ピークは、前もって判定することができ、かかる場合に、例えば、較正又は正規化は、必要とされない可能性がある。しかしながら、かかる正規化及び／又は較正は、やはり、速度の計算などの精度を改善することができる。
【００６８】
ステージ１０５０において、ステージ１０００の装置の動きの速度は、ＭＶＣに応じて判定され、それは、任意選択のステージ１０４０が実行される場合には、ＮＭＶＣの媒体を通る。一実施形態において、最大振幅値に最も近いセンサ読み出し値は無視され、直交するセンサ読み出し値が用いられる。何故なら、直交する読み出し値が、ほぼ線形か又は線形に近い範囲にあるからである。１つ又は複数の閾値を用いること、信号の傾斜を計算すること、閾値を用いること、線形又は非線形近似又は推定を実行すること、ソフトウェア及び／又はハードウェアにおいてフィルタを用いることなど、動きを計算するための他のアルゴリズムが、同様に実行されても良い。速度以外の他のメトリックスが判定されても良く、従って、例えば、特定の皮膚の位置における限られた処置を提供するために、ローラの距離又は位置を見つける必要があり得、かかる場合に、速度は、見つける必要はない。
【００６９】
ステージ１０６０において、動きの方向は、ＭＶＣに応じて識別される。特に、少なくとも２つの直交するＭＶＣ用の経時的な少なくとも２つの読み出し値に基づいて、方向は、判定することができる。
【００７０】
ステージ１０５０及び１０６０は、速度及び方向の両方が必要とされる場合に、行うことができる。例えば、位置は、ルックアップテーブル又はグラフ上のＭＶＣ位置による位相近似などによって代わりに計算することができ、次に、方向及び位置は、速度を計算することなしに見つけることができ、これは、固定された実時間間隔においてではなく、必要に従ってなど、より低い時間レートで又はいつサンプリングが行われるかを知ることなしに、センサをサンプリングすることを可能にする。しかしながら、センサが、適切なレートでサンプリングされず、ローラが、センサによって監視されずに、３６０度（完全な回転）を超えて通過した場合には、正確な位置又はローラが移動した距離は、分からない可能性がある。
【００７１】
従って、少なくとも１つの２極の磁石に基づいて、回転部材と一緒の回転、速度及び方向は、他の動きの表示と共に判定することができる。
【００７２】
エステティック／医療処置装置は、ハウジングを有する装置、又は静止ユニットに接続されたハンドピース（ＨＰ）などの幾つかのコンポーネントを有する装置を指しても良く、ＨＰは、例えば、本明細書で説明されるハウジングを形成しても良い。従って、センサは、専門の装置と同様に、消費者独立型装置において実現されても良い。
【００７３】
明確にするために、別個の実施形態に関連して説明される本発明のある特徴はまた、単一の実施形態に組み合わされて提供されても良いことが分かる。反対に、簡潔にするために、単一の実施形態に関連して説明される本発明の様々な特徴もまた、別々に又は任意の適切なサブ組み合わせで提供されても良い。本出願の特許請求の範囲又は本発明の説明において、明確な言い回し又は必要な含意故に文脈が別段の要求をする場合を除いて、用語「含む（ｃｏｍｐｒｉｓｅ）」、又は「含む（ｃｏｍｐｒｉｓｅｓ）」又は「含む（ｃｏｍｐｒｉｓｉｎｇ）」などの語尾変化は、本発明の様々な実施形態において、任意の包括的な意味で、即ち、述べられた特徴の存在を明示するが、更なる特徴の存在又は追加を排除しないように用いられる。
【００７４】
別段の規定がなければ、本明細書で用いられる全ての技術及び科学用語は、本発明が属する技術分野の当業者によって一般に理解されるのと同じ意味を有する。本明細書で説明される方法と類似の又は均等な方法が、本発明の実施又は試験において用いられ得るが、適切な方法が、本明細書で説明されている。
【００７５】
本明細書で言及される全ての刊行物、特許出願、特許、及び他の参考文献は、参照によりそれらの全体において援用される。矛盾がある場合には、定義を含めて本特許明細書が優先される。更に、材料、方法及び例は、単に実例であり、限定であるようには意図されていない。参照が先行技術を構成するという承認は、少しもなされない。参考文献の議論は、それらの著者が主張するものを述べ、本出願人は、引用された文献の正確さ及び適切さを疑う権利を留保する。先行技術の多くの厄介な問題が本明細書で言及されているが、この言及は、これらの文献のいずれかが、いずれかの国において当該技術分野の共通の一般知識の一部を形成するという承認を構成しないことが明白に理解されよう。
【００７６】
本発明が、上記で特に示され説明されたものに、限定されないことが当業者によって理解されよう。より正確に言えば、本発明の範囲は、添付の特許請求の範囲によって定義され、上記で説明された様々な特徴の組み合わせ及びサブ組み合わせの両方と同様に、その変形及び修正を含み、それは、前述の説明を読めば、当業者の心に浮かぶであろう。
【図１Ａ】
2016526691.tif 000003
【図１Ｂ】
2016526691.tif 000004
【図２Ａ】
2016526691.tif 000005
【図２Ｂ】
2016526691.tif 000006
【図３Ａ】
2016526691.tif 000007
【図３Ｂ】
2016526691.tif 000008
【図４Ａ】
2016526691.tif 000009
【図４Ｂ】
2016526691.tif 000010
【図４Ｃ】
2016526691.tif 000011
【図５Ａ】
2016526691.tif 000012
【図５Ｂ】
2016526691.tif 000013
【図６Ａ】
2016526691.tif 000014
【図６Ｂ】
2016526691.tif 000015
【図７Ａ】
2016526691.tif 000016
【図７Ｂ】
2016526691.tif 000017
【図７Ｃ】
2016526691.tif 000018
【図７Ｄ】
2016526691.tif 000019
【図７Ｅ】
2016526691.tif 000020
【図７Ｆ】
2016526691.tif 000021
【図７Ｇ】
2016526691.tif 000022
【図８】
2016526691.tif 000023
【国際調査報告】
2016526691.tif 000024
2016526691.tif 000025
2016526691.tif 000026